(57)【要約】      （修正有）【課題】織物製品に関する各種の情報を分かりやすく且つ効果的に消費者に提供できる織物製品の説明書を提供する。【解決手段】織物製品を示す図面又は写真１３と、該織物製品の図柄若しくは色、又はその両方に関する解説とが並べて記載されている織物製品の説明書１０であって、織物製品の図柄若しくは色、又はその両方に関する解説が図柄に含まれるモチーフの説明文１４を含み、図柄に含まれるモチーフの説明文と、該モチーフと対応する、織物製品を示す図面又は写真上のモチーフとが線で繋がれている。更に、織物製品の織地の種類若しくは染色法、又はその両方に関する解説１５が、織物製品を示す図面又は写真と並べて記載されている。【選択図】図１
0003225834.tif 000002
【実用新案登録請求の範囲】
【請求項１】
織物製品の図柄若しくは色、又はその両方に関する解説が記載されていることを特徴とする織物製品の説明書。
【請求項２】
更に、前記織物製品を示す図面又は写真が記載されていることを特徴とする請求項１に記載の織物製品の説明書。
【請求項３】
更に、前記織物製品の織地の種類若しくは染色法、又はその両方に関する解説が記載されていることを特徴とする請求項１又は２に記載の織物製品の説明書。
【請求項４】
前記解説が日本語以外の言語で記載されていることを特徴とする請求項１〜３のいずれかに記載の織物製品の説明書。
【請求項５】
更に、二次元コードが記載されていることを特徴とする請求項１〜４のいずれかに記載の織物製品の説明書。
【請求項６】
請求項１〜５のいずれかに記載の織物製品の説明書を添付したことを特徴とする織物製品。
【考案の詳細な説明】
【技術分野】
【０００１】
本考案は、織物製品の説明書、及び織物製品に関する。
【背景技術】
【０００２】
日本の伝統的な織物は、その図柄（文様又は図案）や色に独特な意味や歴史的背景を有している。例えば、吉祥文様は縁起がよく、不老長寿を願う柄付けであり、有職文様は平安時代以来、公家の装束・調度などに用いられ、中国唐朝の文様を日本化した格調ある伝統的な文様である。また、瑠璃紺は、紫がかった深い青色のことであり、仏髪や仏国土等の色として経典にもみられる伝統ある色名である。また、濡羽色とは、烏の羽のようなつやのある黒色のことであり、万葉集の時代より黒くつややかな女性の髪を形容する際に用いられた色名である。
【０００３】
また、前記織物は、その織地の種類にも特殊性がある。一般に、織地の種類は、その織り方（例えば、平織り、綾織り、又は繻子織等）、及び使用する糸の素材（例えば、絹、綿、又は麻等）や撚りの強さなどによって定められている。例えば、縮緬織りは、経糸に撚りのない糸、緯糸に撚りの強い糸を使用した平織りの絹織物（近年では絹以外の素材が用いられることもある）であって、全体に「シボ」とよばれる細かな凹凸を有している。また、綸子織りは、主に絹から成り、経糸及び緯糸の両方に撚りのない糸を使用した繻子織りの紋織物であって、優れた光沢感を有することから特に女性用の着物によく用いられる。
【０００４】
更に、前記織物は、その染色法にも特殊性がある。例えば、型染めは文様を染める際に型紙などを用いる染色法である。また、友禅染めは糊置防染法による文様染めであり、石川県金沢市で産する加賀友禅と、京都で産する京友禅とがある。
【考案の概要】
【考案が解決しようとする課題】
【０００５】
近年、外国人観光客の増加に伴って、日本の伝統的な図柄を施した織物製品、すなわち着物や、着物の生地を用いた雑貨等が土産物等として人気を集めている。このような織物製品においては、上述のような、織物に関する各種の情報が重要な付加価値となる。
【０００６】
従来、こうした情報は、織物製品を販売する店の販売員によって、口頭で消費者（買い物客）に提供されていたが、それまで織物への関心が小さかった者や、外国人観光客のように日本の伝統文化に慣れ親しんでいない相手に、織物製品のポイントを分かりやすく且つ当該織物製品への興味を喚起するよう効果的に伝えることは困難であった。
【０００７】
本考案は、上記の点に鑑みてなされてものであり、その目的とするところは、織物製品に関する各種の情報を分かりやすく且つ効果的に消費者に提供できるようにすることにある。
【課題を解決するための手段】
【０００８】
上記課題を解決するために成された本考案に係る織物製品の説明書は、織物製品の図柄若しくは色、又はその両方に関する解説が記載されていることを特徴としている。
【０００９】
なお、本考案における織物製品とは、織物生地そのもの、又は該織物生地を用いて製造された製品、例えば、着物等の衣類、又は風呂敷、袋（巾着、バッグ、ポーチ等）、タペストリー、コースター、若しくはランチョンマット等の雑貨などを意味している。また、本考案における図柄とは、織物製品に施された模様（文様）全般を意味しており、例えば、市松模様や唐草模様などの抽象的なパターンのほか、動植物若しくは物品などをモチーフとする図案、又は文字等が含まれる。なお、前記図柄は、糸を染めてから生地を織ること（先染め）によって描き出されたものであってもよく、生地を織ってから染めること（後染め）によって描き出されたものであってもよい。また、前記図柄は、単色糸を織り上げることによって描き出された地模様であってもよい。更に、前記図柄は刺繍によって描かれたものであってもよい。
【００１０】
本考案に係る織物製品の説明書は、更に、前記織物製品を示す図面又は写真が記載されているものとすることができる。
【００１１】
本考案に係る織物製品の説明書は、更に、前記織物製品の織地の種類若しくは染色法、又はその両方に関する解説が記載されているものとすることができる。
【００１２】
本考案に係る織物製品の説明書は、前記解説が日本語以外の言語で記載されているものとすることができる。
【００１３】
本考案に係る織物製品の説明書は、更に、二次元コードが記載されているものとすることができる。
【００１４】
また、上記課題を解決するために成された本考案に係る織物製品は、上記本考案に係る織物製品の説明書が添付されていることを特徴としている。
【考案の効果】
【００１５】
上記本考案に係る織物製品の説明書又は該説明書が添付された織物製品によれば、織物製品に関する各種の情報を分かりやすく且つ効果的に消費者に提供することが可能となる。
【図面の簡単な説明】
【００１６】
【図１】織物製品に関する説明書の一例を示す図。
【図２】英語で記載された前記説明書を示す図。
【図３】織物製品のバリエーションに関する説明書の一例を示す図。
【図４】英語で記載された前記説明書の一例を示す図。
【図５】本考案に係る説明書を備えた織物製品の一形態を示す模式図。
【図６】二次元コードが記載された説明書の一例を示す図。
【図７】二次元コードが記載された説明書の別の例を示す図。
【考案を実施するための形態】
【００１７】
以下、本考案を実施するための形態について図面を参照しつつ説明する。
【００１８】
図１に、本考案に係る織物製品の説明書の一実施形態を示す。本実施形態に係る織物製品の説明書（以下単に「説明書」とよぶ）は、ホテルのロビーや客室に配置され、該ホテルの売店、ロビー、又はフロント等で販売されている織物製品（ここでは、着物生地を用いたタペストリー）の情報を、宿泊客又は利用客等に提供するものである。
【００１９】
この説明書１０には、前記織物製品に関する情報として、商品名１１、図柄の名称１２、前記織物製品の写真１３、前記図柄に配された各種モチーフ（例えば、楽器、動植物、調度品、風景、又は歴史的建造物など）の簡潔な説明１４、前記織物製品に関する説明文１５、及び販売場所の情報１６が印刷されている。
【００２０】
具体的には、図１の例では、織物製品の商品名１１として「吉祥文様タペストリー」という文言が記載され、図柄の名称１２として「花絵巻」との文言が記載されている。更に、各種モチーフの簡潔な説明１４としては、「鶴−長寿・夫婦円満」、「菊−延命長寿」、及び「牡丹−美・富貴」のように、各モチーフの名称と該モチーフの意味や縁起が記され、各簡潔な説明１４と写真１３中の対応するモチーフとの間が引き出し線によって結ばれている。また、説明文１５には、前記織物製品にあしらわれている吉祥文様に関する解説が記載されている。
【００２１】
なお、上記説明書１０は、外国人が読みやすいように、英語、中国語、又は韓国語等の外国語（すなわち日本語以外の言語）で記載されたものであってもよい。このような説明書の一例を図２に示す。同図において、図１中の各要素と対応する部分には、同一の符号が付されている。図２の説明書１０は、英語で記載されている点以外は、図１に示したものと同じ内容であるため、詳しい説明は省略する。
【００２２】
なお、前記織物製品に色や図柄の異なる複数のバリエーションが存在する場合には、各バリエーションに関する解説を記載した説明書を別途用意するようにしてもよい。このような説明書の一例を図３に示す。この説明書２０には、色の異なる複数種類の織物製品（ここでは、タペストリー）の各々について、写真と、各織物製品で主に使用されている色の解説（色の名称や意味）が記載されている。
【００２３】
具体的には、図３の例では、色柄の異なる４種類の織物製品の写真２１が記載されており、写真２１の隣には、前記色の解説として、「唐紅」、「織部」、「濡羽色」、及び「瑠璃紺」といった各色の名称２２が記載され、その隣には、それぞれの色の持つイメージを表す文言２３（唐紅の場合「情熱、強さ、めでたさ」）が記載されている。また、各色の名称２２の下には、その色に関する説明文２４が印刷されている。この説明文２４には、その色の持つ意味や歴史的背景が記されている。
【００２４】
なお、このような織物製品のバリエーションに関する説明書２０も、日本語以外の言語で記載されたものとすることができる。このような説明書の一例を図４に示す。同図において、図３中の各要素と対応する部分には、同一の符号で示してある。なお、同図の説明書２０は、英語で記載されている以外は図３で示したものと同一の内容であるため、詳しい説明は省略する。
【００２５】
上記説明書は、上述のようにホテルの客室やロビーに配置されるものとするほか、織物製品を販売する販売店の店頭に配置されるものとしてもよい。また、本考案に係る説明書は、織物製品に添付されて消費者に提供されるものとしてもよい。
【００２６】
図５は、上記説明書が添付された本考案に係る織物製品の一例を示す模式図である。この織物製品３２は、説明書３３と共に包装容器に収納して販売されるものである。なお、図５においては、包装容器は、本体３１と蓋３４から成る箱体となっているが、本考案に係る織物製品３２は、説明書３３と共に、袋状の包装容器に収納された状態や、包装紙で包まれた状態で販売されるものであってもよい。
【００２７】
本考案に係る説明書は、更に、二次元コードが記載されたものであってもよい。このような説明書の一例を図６に示す。この説明書４０には、織物製品（ここでは着物）に関する情報として、図柄の名称４１、前記織物製品の使用例を示す写真４２（ここでは前記着物を着用した人物の写真）、前記織物製品の写真４３、前記図柄に配された各種モチーフの簡潔な説明４４、前記織物製品に関する説明文４５が記載されており、更に、使用例を示す写真４２の上には、二次元コードであるＱＲコード（登録商標）４６が印刷されている。
【００２８】
なお、図６の例では、織物製品に関する説明文４５として、該織物製品の図柄に関する解説、及び色に関する解説に加えて、該織物製品の織地の種類（ここでは「600口綴唐織」）に関する解説が記載されている。
【００２９】
ＱＲコード４６には、織物製品の製造元又は販売元等が提供するウェブページのアドレスがエンコードされており、消費者がスマートフォン等のカメラ付き携帯端末を用いてこのＱＲコード４６を読み取り、インターネットを介して前記ウェブページにアクセスすることにより、前記織物製品に関連する更なる情報、例えば、当該織物製品に関するより詳細な解説、当該織物製品の製造工程、製造技法、若しくは使用方法に関する動画、又は該織物製品の販売元が販売しているその他の製品の情報などを得ることができる。また、前記ＱＲコード４６は、前記織物製品やそのバリエーションを販売する通販サイトのウェブアドレスがエンコードされたものとしてもよい。これにより、前記織物製品を購入した消費者が当該織物製品やそのバリエーションを容易に追加購入することが可能となる。
【００３０】
なお、ＱＲコード４６がエンコードする内容は、上記に限定されるものではない。例えば、ＱＲコード４６は、説明書４０と同一の内容が記載されたウェブページのアドレスや、説明書４０の電子ファイル（例えば、pdfファイル）が掲載されたウェブページのアドレスをエンコードしたものとすることもできる。ＱＲコード４６を読み取った消費者が、このようなウェブページのアドレス又は前記電子ファイルを携帯端末等に保存することにより、説明書４０が手元にないときにも自由に説明書４０の内容を確認することが可能となる。また、ＱＲコード４６には、織物製品の製造元又は販売場所の情報が記載されたウェブページ（例えば、前記ホテルのウェブページ）のアドレスをエンコードしたものとすることもできる。
【００３１】
また、本考案に係る説明書は、複数のＱＲコードが印刷されたものとすることもできる。このような説明書の一例を図７に示す。この説明書５０には、前記織物製品に関する情報として、商品名５１、図柄の名称５２、織物製品の写真５３、前記図柄に配された各種モチーフの簡潔な説明５４、及び前記織物製品に関する説明文５５が記載されており、更に、前記織物製品に関する説明文５５の下には、３つのＱＲコード５６、５７、５８が印刷されている。なお、図７では、織物製品に関する情報を英語で記載した説明書５０を例示したが、当然ながら、これらの情報はその他の言語（例えば日本語）で記載されていてもよい。
【００３２】
前記３つのＱＲコード５６、５７、５８には、それぞれ異なるウェブページのアドレスがエンコードされている。例えば、左側のＱＲコード５６には、説明書５０のpdfファイルが掲載されたウェブページのアドレスがエンコードされ、中央のＱＲコード５７には、織物製品の製造工程に関する説明文や動画が掲載されたウェブページのアドレスがエンコードされ、右側のＱＲコード５８には、前記織物製品を販売しているホテルのウェブページのアドレスがエンコードされたものとすることができる。
【００３３】
以上、本考案を実施するための形態について具体例を挙げて説明を行ったが、本考案は上記具体例に限定されるものではなく、その趣旨の範囲で適宜変更が許容される。例えば、上記では織物製品としてタペストリー及び着物を例示したが、本考案に係る織物製品の説明書はその他の織物製品（例えば、風呂敷、袋、バッグ、ポーチ、タペストリー、コースター、又はランチョンマット等）に関する情報を記載したものであってもよい。同様に、本考案に係る織物製品は、タペストリー又は着物以外の織物製品であってもよい。
【００３４】
また、本考案に係る織物製品は、図柄として文字やロゴを含むものとしてもよい。この場合、例えば、前記図柄の一部として当該織物製品の販売場所の名称（地名、店名、施設名等）を表す文字や、当該販売場所を表すロゴを織り込む（又は、染色や刺繍によって前記文字やロゴを描き込む）ことが考えられる。この場合、本考案に係る織物製品の説明書には、前記織物製品の図柄の解説として、前記販売場所（例えばホテル）の宣伝や、前記名称又はロゴの由来などを記載することが望ましい。
【００３５】
更に、上記の例では、本考案に係る説明書を織物製品の図柄、色、及び織地の種類に関する解説が記載されたものとしたが、これらに加えて又は代えて、織物製品の染色法に関する解説を記載したものとしてもよい。染色法に関する解説としては、例えば、例えば型染めや友禅染めなど、対象とする織物製品の染色法を具体的に記載するものとする。
【符号の説明】
【００３６】
１０、２０、３３、４０、５０…説明書
１１、５１…商品名
１２、４１、５２…図柄の名称
１３、２１、４３、５３…織物製品の写真
１４、４４、５４…モチーフの簡潔な説明
１５、４５、５５…織物製品に関する説明文
１６…販売場所の情報
２２…色の名称
２３…色の持つイメージを表す文言
２４…色に関する説明文
３１…本体
３２…織物製品
３４…蓋
４２…織物製品の使用例を示す写真
４６、５６、５７、５８…ＱＲコード
【図１】
0003225834.tif 000003
【図２】
0003225834.tif 000004
【図３】
0003225834.tif 000005
【図４】
0003225834.tif 000006
【図５】
0003225834.tif 000007
【図６】
0003225834.tif 000008
【図７】
0003225834.tif 000009
【手続補正書】
【提出日】令和2年1月31日(2020.1.31)
【手続補正１】
【補正対象書類名】実用新案登録請求の範囲
【補正対象項目名】全文
【補正方法】変更
【補正の内容】
【実用新案登録請求の範囲】
【請求項１】
織物製品を示す図面又は写真と、該織物製品の図柄若しくは色、又はその両方に関する解説とが並べて記載されていることを特徴とする織物製品の説明書。
【請求項２】
前記織物製品の図柄若しくは色、又はその両方に関する解説が前記図柄に含まれるモチーフの説明文を含み、前記図柄に含まれるモチーフの説明文と、該モチーフと対応する、前記織物製品を示す図面又は写真上のモチーフとが線で繋がれていることを特徴とする請求項１に記載の織物製品の説明書。
【請求項３】
更に、前記織物製品の織地の種類若しくは染色法、又はその両方に関する解説が、前記織物製品を示す図面又は写真と並べて記載されていることを特徴とする請求項１又は２に記載の織物製品の説明書。
【請求項４】
前記解説が日本語以外の言語で記載されていることを特徴とする請求項１〜３のいずれかに記載の織物製品の説明書。
【請求項５】
前記織物製品を示す図面又は写真の上、又は前記解説の下に、二次元コードが記載されていることを特徴とする請求項１〜４のいずれかに記載の織物製品の説明書。
【請求項６】
請求項１〜５のいずれかに記載の織物製品の説明書を添付したことを特徴とする織物製品。